(57)【要約】【課題】収納ユニットの下部において側板、桟木間をしっかりと連結でき、それとともに収納ユニット自体を効率的に建築物の壁面に固定することができる新規な連結具を提供する。【解決手段】連結具１０は、桟木２５の側端を表裏両面から挟んで桟木２５を固定する桟木挟持固定部１２と、側板２１に固定される側板固定部１１とが金属板を折曲して一体に形成されており、桟木挟持固定部１２は、桟木２５の背面側に位置して桟木２５を背面側より固定する桟木固定片１３と、桟木２５の前面側に位置して桟木２５を前面側より、固定具５で桟木２５の背面側の建築物の壁面１に固定するユニット固定片１５とを有している。【選択図】図１
2018011831.tif 000002
【特許請求の範囲】
【請求項１】
一対の側板と、背板と、該背板の下に配され、対向する前記側板間を連結した桟木とを少なくとも有する、底側が開放された収納ユニットにおける前記側板、前記桟木間を連結する連結具であって、
前記桟木の側端を表裏両面から挟んで前記桟木を固定する桟木挟持固定部と、前記側板に固定される側板固定部とが金属板を折曲して一体に形成されており、
前記桟木挟持固定部は、前記桟木の背面側に位置して前記桟木を背面側より固定する桟木固定片と、前記桟木の前面側に位置して前記桟木を前面側より、固定具で前記桟木の背面側の建築物の壁面に固定するユニット固定片とを有したことを特徴とする連結具。
【請求項２】
請求項１において、
前記桟木固定片、前記ユニット固定片の一方は前記側板固定部の一端の上下から折曲形成され、他方は前記側板固定部の一端の中央から折曲形成されていることを特徴とする連結具。
【発明の詳細な説明】
【技術分野】
【０００１】
本発明は、底側が開放された収納ユニットにおいて、側板と、背板側に配した桟木との間を連結する連結具に関する。
【背景技術】
【０００２】
この種の収納ユニットは、底板を有さないことによる剛性の低下を防止するために、側板、背板間をＬ型の連結具で連結することが通例となっている（たとえば、特許文献１参照）。
【０００３】
また、この種の収納ユニットは、扉の開閉動作などにともなう下部における側板の振れが発生しやすい構成となっているため、背面側の下部に桟木を配して、その桟木と側板とをＬ型の連結具で連結することでも剛性を向上させることが実施されている。
【先行技術文献】
【特許文献】
【０００４】
【特許文献１】特開２０１１−１０３９８９号公報
【発明の概要】
【発明が解決しようとする課題】
【０００５】
本出願人は、上記のような側板、背板間連結用の連結具を種々試行しており、さらに収納ユニットを建築物の壁面に対して効率的に固定できる付加機能を有した連結構造についても、鋭意研究している。なお、特許文献１の連結具は、側板と背板の連結角部の下端にあてがうものであるから、ある程度の強度は得られるが、側板、桟木間の連結具としてはそれだけでは不十分であるし、もちろん上記のような付加機能を有したものでもない。
【０００６】
本発明は、上記事情を考慮して提案されたもので、その目的は、収納ユニットの下部において側板、桟木間をしっかりと連結でき、それとともに収納ユニット自体を効率的に建築物の壁面に固定することができる新規な連結具を提供することにある。
【課題を解決するための手段】
【０００７】
上記目的を達成するために、本発明の連結具は、一対の側板と、背板と、背板の下に配され、対向する側板間を連結した桟木とを少なくとも有する、底側が開放された収納ユニットにおける側板、桟木間を連結する連結具であって、桟木の側端を表裏両面から挟んで桟木を固定する桟木挟持固定部と、側板に固定される側板固定部とが金属板を折曲して一体に形成されており、桟木挟持固定部は、桟木の背面側に位置して桟木を背面側より固定する桟木固定片と、桟木の前面側に位置して桟木を前面側より、固定具で桟木の背面側の建築物の壁面に固定するユニット固定片とを有したことを特徴とする。
【発明の効果】
【０００８】
本発明の連結具によれば、上述した構成となっているため、収納ユニットの下部において側板、桟木間をしっかりと連結でき、それとともに収納ユニット自体を効率的に建築物の壁面に固定することができる。
【図面の簡単な説明】
【０００９】
【図１】本発明の一実施形態に係る連結具の説明図である。（ａ）は一方側の連結具の斜視図、（ｂ）は連結具が取り付けてある収納ユニットの部分拡大斜視図である。
【図２】連結具の取り付け対象である収納ユニットの取り付け状態を示した斜視図である。
【図３】本発明の他の実施形態に係る連結具の斜視図である。
【発明を実施するための形態】
【００１０】
以下に、本発明の実施の形態について、添付図面をもとに説明する。図１および図２は、本実施形態に係る連結具１０の説明図である。また、図３は他の連結具１０Ａの斜視図である。
【００１１】
以下の実施形態では、連結具１０、１０Ａの取り付け対象である収納ユニット２０が建築物の壁面１に取り付けられた状態を基準として、上下左右前後等の方向を定めた。また、収納ユニット２０の棚板２６（図２参照）が配されている空間２８（図２参照）に接する面を内面、その反対側を外面として定めた。なお、左右については、壁面１に向かって見た場合の左、右を基準とした。
【００１２】
本連結具１０、１０Ａは、一対の側板２１、２２と、背板２３と、背板２３の下に配され、対向する側板２１、２２間を連結した桟木２５とを少なくとも有する、底側が開放された収納ユニット２０における側板２１（２２）、桟木２５間を連結する部材である。
【００１３】
連結具１０、１０Ａは、桟木２５の側端を表裏両面から挟んで桟木２５を固定する桟木挟持固定部１２と、側板２１（２２）に固定される側板固定部１１とが金属板を折曲して一体に形成されている。桟木挟持固定部１２は、桟木２５の背面側に位置して桟木２５を背面側より固定する桟木固定片１３と、桟木２５の前面側に位置して桟木２５を前面側より、固定具５で桟木２５の背面側の建築物の壁面１に固定するユニット固定片１５とを有している（以上、図１参照）。
【００１４】
このような構成となっているため、側板２１、２２に固定された連結具１０、１０Ａによって桟木２５がしっかりと保持され、その結果、側板２１（２２）、桟木２５間の連結の強化を図ることができる。また、連結具１０、１０Ａの桟木挟持固定部１２がユニット固定片１５を有しているため、その連結具１０、１０Ａを用いて、収納ユニット２０自体を効率的に建築物の壁面１に固定することができる。
【００１５】
ついで、図１に示した連結具の詳細について以下に説明する。この連結具１０は、たとえば図２に示すような収納ユニット２０が取り付け対象とされる。まず、この収納ユニット２０について説明する。
【００１６】
この収納ユニット２０は、建築物の（内）壁面１に取り付け固定される箱型の収納体である。この収納ユニット２０は、天板２４と、左右の２枚の側板２１、２２と、背板２３と、桟木２５と、複数の棚板２６とを備えており、底側は開放されている。図例のものは、収納ユニット２０が壁面１に取り付けられた状態で、収納体の下端である側板２１、２２の下端が床面２から離間した高さ位置にある。たとえば、この収納ユニット２０は玄関土間に設置され、床面２側の離間空間を生かして、ゴルフバッグなどの長手の物が下部を露出させた状態で縦置きされるようになっている。
【００１７】
天板２４は、左右方向に長尺な略矩形平板状とされており、側板２１、２２の上端部に架け渡されるようにして固定されている。天板２４の板幅寸法（前後寸法）は、図２の左側に配された側板２１の板幅寸法と略同寸法とされている。両方の側板２１、２２は、高さ方向に長尺な略矩形平板状とされ、左側の側板２１の板幅寸法が右側の側板２２の板幅寸法よりも大とされており、左側の側板２１がやや前方に突出している。このように左側の側板２１が前方に少し大きく突出しているのは、扉（不図示）のヒンジ部（不図示）を設けるためである。
【００１８】
上端が天板２４を介して連結された左右の側板２１、２２の後端側の下端部間には、桟木２５が側板２１、２２間に挟まれるように固定されている。つまり、両方の側板２１、２２は、上下端において他の部材（上端では天板２４、下端では桟木２５）を介して連結されている。側板２１、２２、桟木２５間の連結は直接ではなく、連結具１０を用いた間接的な連結となっている。これについては、図１の詳細な説明とともに後述する。
【００１９】
また、桟木２５の上端面と天板２４の裏面との間には、それらに挟まれるように背板２３が配されている。この背板２３は、後述するように、両方の側板２１、２２および桟木２５のそれぞれに設けた取付溝２１ａ、２５ａ（図１（ｂ）参照）に端部が嵌め入れられて、保持されている。
【００２０】
天板２４と、両方の側板２１、２２と、背板２３とにより囲まれた内部の収納空間２８には複数の棚板２６が設置されている。棚板２６としては、可動式、固定式のいずれのものであってもよい。
【００２１】
また、図２では不図示であるが、収納ユニット２０の前面側には、折戸や開き戸などの
扉が左の側板２１の前端部内面にヒンジ結合されている。なお、扉は引戸であってもよい。
【００２２】
さらに、上記の収納ユニット２０と左右対称形状とされる他の収納ユニット２０を、図２の２点鎖線で示すように側板２２、２１どうしを接触または近接させるようにして並べることもできる。
【００２３】
収納ユニット２０は以上のような構成とされ、上述したように、底板がなく底側が開放されている。この収納ユニット２０は、底板がないことによる、下部における側板２１、２２の振れ（揺れ）の発生（つまり剛性の低下）を防止するために、上述したように、側板２１、２２間が桟木２５で連結されている。この桟木２５は背板２３を下方より支持している。そして、その桟木２５が側板２１、２２との関係において強固な連結関係が形成され得るようにするために、図１に示した連結具１０が取り付けられるようになっている。
【００２４】
連結具１０は、上述したように側板２１、２２、桟木２５間を連結するための部材である。連結具１０は、図１（ａ）に示すように、側板２１に固定される側板固定部１１と、桟木２５を固定する桟木挟持固定部１２とを有しており、おおむねＬ型の形状となっている。
【００２５】
側板固定部１１は、その長手方向を前後方向に合わせて側板２１の内面に固定具等で固定される部位である。
【００２６】
側板固定部１１の後部側では、高さ方向の中間部が折曲され、そのさらに後方で、高さ方向の上下部（つまり中間部を除く上下部位）が中間部と同じ方向に折曲されている。中間部で折曲延出された部位が桟木挟持固定部１２のうちのユニット固定片１５であり、上下部で二股に折曲延出された部位が桟木挟持固定部１２のうちの桟木固定片１３である。
【００２７】
なお、連結具１０の高さ寸法については特に限定はないが、上下の桟木固定片１３の全面が桟木２５にあてがわれるような寸法であることが望ましい。本図例では、上側の桟木固定片１３の上端縁が桟木２５の上端縁におおむね合致し、下側の桟木固定片１３の下端縁が桟木２５の下端縁におおむね合致している。つまり、図１の例では、桟木２５と略同幅寸法（高さ寸法）の連結具１０が用いられている。
【００２８】
また、ユニット固定片１５の折曲部から桟木固定片１３の折曲部までには、桟木固定片１３につながるように、側板固定部１１から後方に延びた延出部１４が形成されている。上側の延出部１４の上端縁および下側の延出部１４の下端縁にはそれぞれ、前後方向における同位置に切り欠き凹部１４ａが形成されている。
【００２９】
一方、図１（ｂ）に示すように、桟木２５の上面に背板２３の側端を挿入する取付溝２５ａが形成されており、側板２１の内面には、桟木２５の取付溝２５ａの位置に合致する位置に背板２３の下端を挿入する取付溝２１ａが形成されている。
【００３０】
連結具１０は、図１（ｂ）に示すように、切り欠き凹部１４ａが側板２１、桟木２５の両取付溝２１ａ、２５ａに位置が合致するように、かつユニット固定片１５と桟木固定片１３の２種の折曲片で桟木２５を挟むように取り付けられる。
【００３１】
このように連結具１０が桟木２５に取り付けられた状態では、側板２１、桟木２５の両取付溝２１ａ、２５ａは、連結具１０の切り欠き凹部１４ａによって連通した状態にある。このようにすることで、背板２３を側板２１の取付溝２１ａと桟木２５の取付溝２５ａに挿入することができる。本図例のように連結具１０と桟木２５とが同高さ寸法であれば、取付溝２１ａ、２５ａの連通状態を形成するためには、連結具１０の切り欠き凹部１４ａの凹みの程度は、桟木２５の取付溝２５ａの深さと同等か、それよりも深く形成してあればよい。
【００３２】
なお、図１に例示した左側の連結具１０においては、連結具１０の下側の切り欠き凹部１４ａは使用され得ないが、左右の側板２１、２２に共通の連結具１０として使用するためには、切り欠き凹部１４ａを上下に形成しておくことが望ましい。
【００３３】
こうして、連結具１０を側板２１、桟木２５間に配し、側板固定部１１を側板２１に固定具（不図示）で固定し、桟木固定片１３を桟木２５に固定具（不図示）で背面側より固定すれば、側板２１と桟木２５とは連結具１０を介して連結された状態となる。右側の側板２２（図２参照）も同様に桟木２５に連結すれば、少なくとも下端部において、側板２１、桟木２５、側板２２が連結された状態となる。
【００３４】
背板２３は、両方の側板２１、２２の取付溝２１ａおよび桟木２５の取付溝２５ａに挿入するように装着すればよい。このよう背板２３を付加したものに、さらに天板２４を取り付ければ、おおむね収納ユニット２０として形作られ、それを建築物の壁面１に取り付けることで施工が完了する。
【００３５】
収納ユニット２０の壁面１に対する取り付けは、連結具１０のユニット固定片１５の表面側から釘などの固定具５を打ち込みすることによってなされる。つまり、収納ユニット２０は、固定具５で、連結具１０および桟木２５を通じて、桟木２５の背面側の壁面１に固定される。左右の両方の連結具１０について、このような固定を行い、さらに収納ユニット２０の上部などにおいて壁面１への固定を行えば、収納ユニット１０は壁面１に安定した状態に固定される。もちろん、ユニット固定片１５に固定具５を打ち込むことで、連結具１０、桟木２５間の結合が強化されるから、その結果、側板２１、桟木２５間の連結も強化される。
【００３６】
以上のような連結具１０によれば、側板２１と桟木２５との入隅空間において、桟木挟持固定部１２が桟木２５の側端を表裏両面からしっかりと挟み込んだ状態で連結具１０が両部材に固定される。そのため、側板２１、２２、桟木２５間は強固に連結され、その結果、扉の開閉動作などにともなう側板２１、２２の振れを防止することができる。また、ユニット固定片１５の桟木２５への固定は建築物への固定も兼ねているため、収納ユニット２０の施工作業を効率的に実施することができる。
【００３７】
また、この連結具１０は桟木固定片１３として一対のものを上下に有し、その間にユニット固定片１５を有した形状となっているため、桟木２５に対して安定した状態に取り付けることができる。
【００３８】
連結具１０の桟木挟持固定部１２としては、このような形状のものに限られず、図３に示すように、ユニット固定片１５を上下に有し、桟木固定片１３を中間部に有した形状のものであってもよい。この連結具１０Ａの場合、図３に示すように切り欠き凹部１４ａ（図１参照）は設けなくてもよい。
【００３９】
このように、桟木固定片１３、ユニット固定片１５の一方は側板固定部１１の一端（後端）の上下から折曲形成され、他方は側板固定部１１の一端（後端）の中央から折曲形成された連結具１０であれば、桟木２５に対する安定感のある取り付けができる。
【００４０】
また、連結具１０の桟木挟持固定部１２としては、桟木固定片１３、ユニット固定片１５がともに１片のみ形成されたものであってもよい。つまり、上下に１つずつの折曲片が形成された形状の連結具であってもよい。このような形状の連結具であっても、桟木２５を挟み込むことは可能であり、桟木２５に対して前後面より固定具５で止めれば、連結具１０、桟木２５間をしっかりと結合することができる。
【符号の説明】
【００４１】
１０、１０Ａ  連結具
１１          側板固定部
１２          桟木挟持固定部
１３          桟木固定片
１５          ユニット固定片
２０          収納ユニット
２１、２２    側板
２３          背板
２５          桟木
１            建築物の壁面
２            床面
５            固定具
【図１】
2018011831.tif 000003
【図２】
2018011831.tif 000004
【図３】
2018011831.tif 000005